(57)【特許請求の範囲】
【請求項１】
限時時間を選択的に調整するつまみの軸部を挿通した前面開口の歯車ボックスと、上記前面開口を閉塞しかつ上記つまみの軸部とほぼ同心状の環状突起を突設した前面カバーと、上記環状突起の内部に装着されかつ表面に目盛りを有するとともに所定個所に表示窓を設けた目盛板と、上記環状突起の内部に収納されて限時時間に対応する数字を上記表示窓から順次露出させる複数の数字を表面に表記した文字板と、上記歯車ボックスに回動可能に収納されて上記文字板を偏心回動させるスイッチ歯車とを具備し、上記前面カバーに１対の円環状ガイド溝を形成し、上記文字板に突設されたガイド突起を前記各ガイド溝に摺動可能に嵌合させ、上記環状突起の内周面をガイド面として上記文字板を偏心回動させるとともに、上記スイッチ歯車にはその回転軸にほぼ同心状の環状突起を突設し、この環状突起を前面カバーの歯車支持孔に嵌合させ、さらに、上記前面カバーにおける環状突起の内周面に目盛板を係止して固定したことを特徴とするタイマ。
【請求項２】
上記前面カバーにおける環状突起に環状シール部材を外嵌し、上記前面カバーとつまみとの間をシールするように構成したことを特徴とする請求項１に記載のタイマ。
【発明の詳細な説明】
【０００１】
【産業上の利用分野】
この発明は、複数の歯車機構の回動操作で限時時間や時間単位などの仕様モードを切り換えることができるタイマに関するものである。
【０００２】
【従来の技術】
従来、限時時間を選択的に調整するつまみの軸部を挿通した歯車ボックスの内部に文字板を収納し、この文字板を歯車機構でもって偏心回動させ、表面に表記した複数の数字のうち、上記限時時間に対応する文字板の数字を目盛板の表示窓から順次露出させるように構成したものが知られている（特開平  ４−  ３０３５３１号公報参照）。
【０００３】
【発明が解決しようとする課題】
ところで、上記文字板には１対の円環状ガイド溝が形成されるとともに、歯車ボックスに所定間隔を存して突設された１対のガイド突起を上記各ガイド溝に摺動可能に嵌合して、上記文字板の偏心回動を案内するように構成され、上記文字板は歯車機構および１対のガイド突起との３点支持で、かつ合成樹脂のような製造組立精度の比較的に低い材料で形成されているため、その偏心回動過程においてロック状態となり、動作不良が生じたり、無理な応力でガイド突起を破損させたりするおそれがある。
【０００４】
この発明は上記課題を解消するためになされたもので、文字板のロック状態による動作不良をなくし、ガイド突起の破損を有効に防止して、信頼性の高いタイマを提供することを目的とする。
【０００５】
【課題を解決するための手段】
この発明によるタイマは、限時時間を選択的に調整するつまみの軸部を挿通した前面開口の歯車ボックスと、上記前面開口を閉塞しかつ上記つまみの軸部とほぼ同心状の環状突起を突設した前面カバーと、上記環状突起の内部に装着されかつ表面に目盛りを有するとともに所定個所に表示窓を設けた目盛板と、上記環状突起の内部に収納されて限時時間に対応する数字を上記表示窓から順次露出させる複数の数字を表面に表記した文字板と、上記歯車ボックスに回動可能に収納されて上記文字板を偏心回動させるスイッチ歯車とを具備し、上記前面カバーに１対の円環状ガイド溝を形成し、上記文字板に突設されたガイド突起を前記各ガイド溝に摺動可能に嵌合させ、上記環状突起の内周面をガイド面として上記文字板を偏心回動させるとともに、上記スイッチ歯車にはその回転軸にほぼ同心状の環状突起を突設し、この環状突起を前面カバーの歯車支持孔に嵌合させ、さらに、上記前面カバーにおける環状突起の内周面に目盛板を係止して固定したことを特徴とする。
【０００６】
【作用】
上記構成によれば、歯車ボックスにおける環状突起の内周面に文字板を摺動可能に収納するとともに、前面カバーに１対の円環状ガイド溝を形成し、前記文字板に突設されたガイド突起を前記各ガイド溝に摺動可能に嵌合させる構成としたから、スイッチ歯車の回動にともなって、前記文字板は上記環状突起の内周面をガイド面として円滑な偏心回動をすることができ、前記ガイド突起を破損させることなく、ロック状態による動作不良を防止して、信頼性の高いタイマを提供することができる。
また、上記スイッチ歯車は回転軸に同心状の環状突起を突設し、上記環状突起でもって前面カバーの歯車支持孔に嵌合させたから、上記歯車支持孔にがたつきのない状態で支持されて、文字板を円滑に偏心回動させることができ、この点からも文字板の動作不良や破損の防止に貢献することができる。
さらに、上記前面カバーにおける環状突起の内周面に目盛板を係止して固定したから、前記目盛板の装着がきわめて容易である。
【０００７】
【実施例】
以下、この発明の実施例を図面にしたがって説明する。
図１は、この発明によるタイマの一例を取付パネルに装着して示す一部切欠した要部の側面図である。
同図において、１はリアケース本体で、このリアケース本体１は、たとえば両端開口部１ａ，１ｂを有する不透明な合成樹脂製の角筒体からなり、外周面にフランジ部を形成することなく全長にわたりほぼ同一の横断面形状を有し、両端部に複数の係合孔１ｃ，１ｄが形成されている。
【０００８】
上記リアケース本体１の両端開口部１ａ，１ｂには歯車ボックス２および端子ベ−ス３が着脱可能に嵌着されている。
上記歯車ボックス２は、たとえば不透明な合成樹脂からなる電気絶縁性材料で形成され、図２で明示すように、矩形状基板２ａの外周縁に矩形環状のフランジ部２ｂが突設され、前面に凹所２ｃが形成されるとともに、上記基板２ａの中央部につまみ軸受孔２ｄをもった軸受筒２ｓおよび前面周辺部に後述する仕様モード切換用歯車機構の支持凹所２ｅ，２ｘ，２ｙが形成されている。
【０００９】
上記歯車ボックス２はその後面に突設された係合片２ｈの係合突起２ｇをリアケース本体１の係合孔１ｃに係合させて上記ケース本体１に着脱可能に固定されるとともに、互いに電気的に接続されたプリント配線基板５，６が装着されている。
上記プリント配線基板５は、上記歯車ボックス２の基板２ａにほぼ平行に配設されて、両端部の突起を上記基板２ａの後面に突設された係合片２ｎの係合孔２ｋに係合させて固定されている。
また、上記プリント配線基板６は、歯車ボックス２の基板２ａにほぼ直交して１対配設され、前端両側部の突起を上記基板歯車ボックス２の後面に突設された係合片２ｐの係合孔２ｍに係合させて固定されている。
さらに、上記各配線基板６の後端部にはプリント配線基板（図示せず）が上記配線基板５に対向配設されて端子ベ−ス３に固定され、この端子ベ−ス３を前方からリアケース本体１の後端開口部１ｂに嵌合し、上記端子ベ−ス３の両側面に突設された係合突起３ａがリアケース本体１の係合孔１ｄに係合されている。
【００１０】
上記歯車ボックス２には前面カバー４が着脱可能に嵌着され、この前面カバー４は、たとえば透明な合成樹脂からなる電気絶縁性材料で形成され、矩形状基板４ａの外周縁に矩形環状のフランジ部４ｂが突設され、中央部に歯車ボックス２の軸受筒２ｓを嵌合する嵌合孔４ｃが形成され、かつ前面にこれと同心状の環状突起４ｄが突設され、コーナ部に調整孔４ｅが形成されている。
上記前面カバー４の後面には係合孔４ｇを有する係合片４ｈが突設され、上記歯車ボックス２の貫通孔２ｉに上記係合片４ｈを挿入し、歯車ボックス２における係合片２ｈの裏面に突設された係合突起（図示せず）に上記係合孔４ｇを係合させて、上記前面カバー４が歯車ボックス２に着脱可能に固定されている。
【００１１】
上記前面カバー４には限時時間設定用つまみ７が装着され、このつまみ７は、たとえば透明な合成樹脂からなる電気絶縁性材料で形成されて、内面に指針８が固定されている。
また、上記つまみ７の後端部にはねじ体９でつまみ軸１０が同軸状に固定され、後部に突設された突起１０ａを摺動子ホルダ１２に係合させて、上記つまみ軸１０を介し摺動子ホルダ１２が一体的に回転可能に連結されている。
上記摺動子ホルダ１２には導電性摺動子１１が保持され、この導電性摺動子１１がプリント配線基板５に設定された摺動抵抗体１３および導電部１４に摺接している。
【００１２】
上記歯車ボックス２の凹所２ｅには入力歯車１７およびスイッチ歯車１８が載置され、各歯車１７，１８は互いに噛合した状態で後端部を歯車支持孔２１，２２に軸支するとともに、前端部を上記前面カバー４の調整孔４ｅおよび歯車支持孔４ｆに回動可能に支持し、上記スイッチ歯車１８の後端部に係合されたスイッチ摺動子２０を上記プリント配線基板５に形成された接点パターン１６に摺接させて、限時時間のレンジを切り換えるものである。
【００１３】
上記入力歯車１７は先端に形成された操作溝１７ａを前面カバー４の操作孔４ｅから露出させ、ドライバーなどの治具を上記操作溝１７ａに係合させて回動操作されるように構成されている。
また、上記スイッチ歯車１８は回転軸ａに同心状の環状突起１８ａと、上記回転軸ａから径方向へ距離Ｒをもった偏心軸ｂの軸上に偏心突起１８ｂとが前面に突設され、上記前面カバー４の歯車支持孔４ｆに上記環状突起１８ａを回動可能に嵌合されている。
【００１４】
上記スイッチ歯車１８の偏心突起１８ｂは文字板３０の裏面に突設された係合孔３１に係合されている。
上記文字板３０は、たとえば不透明な合成樹脂からなる円環状の板材からなるもので、図３で示すように、上記係合孔３１に対し所定間隔を存して１対の係合突起３３，３４を裏面に突設し、各係合突起３３，３４を上記前面カバー４に形成された円環状ガイド溝４ｉ，４ｊに摺動可能に係合して、上記各ガイド溝４２，４３の半径を前述した偏心距離Ｒとほぼ同一寸法に設定している。
【００１５】
また、上記文字板３０は、たとえば４個１組の時間表示用数字３２（図４）が表面に印刷され、これら時間表示用数字３２が偏心突部１８ｂの偏心距離Ｒを半径とする円周上のまわりに各数字組ごとに配設されている。
さらに、上記文字板３０は外周に切欠部３５を有するとともに、中央孔３６に歯車ボックス２の軸受筒２ｓが挿通され、上記前面カバー４における環状突起４ｄの内周面を摺動面として偏心回動できるように収納されている。
【００１６】
上記文字板３０の前面には目盛板４０が対向して装着され、この目盛板４０は前面カバー４の環状突起４ｄの内部に組み付け可能なほぼ円環状の板材からなり、その中央部につまみ軸１０を挿通する軸孔４１を有し、これを中心として放射状に目盛り４２を設けるとともに、各組の時間表示用数字３２に対応する複数の表示窓４３が形成されている。
また、上記目盛板４０は、その外周部に形成された複数の係止溝４４に上記前面カバー４の環状突起４ｄの内周面に突設された係止突起４ｋを係止させて固定されるとともに、上記文字板３０が上記係止突起４ｋを避けて上記環状突起４ｄの内周面を偏心回動できるように、その外周部に切欠部３７を有する。
【００１７】
上記前面カバー４の前面には環状突起４ｄの外周側に位置して名板５０が装着され、この名板５０は上記環状突起４ｄの外部に組み付け可能なほぼ正方形環状の板材からなり、その中央部に透孔５１を有し、その角部には上記入力歯車１７を回動させて時間表示を切換えるための調整孔５２が設けられている。
また、上記目盛板４０および名板５０には時間単位表示窓４５、時間表示を切換えるための調整孔５２、時間単位を切換えるための調整孔５３、時間モードを切換えるための調整孔５４、動作モード表示窓５５が形成され、これらの駆動機構は便宜上その詳しい説明を省略する。
【００１８】
さらに、上記つまみ７，前面カバー４，歯車ボックス２，取付パネル２４および入力歯車１７の各嵌合部には環状シール部材２５，２６，２７，２８が介在されるとともに、上記つまみ７にはねじ体９の挿入孔７ａを封止するシール部材２９が装着されている。
【００１９】
上記電子タイマを取付パネル２４に装着する場合には、リアケース本体１の前端開口部１ａの外周面に嵌着された環状シール部材２７  を歯車ボックス２のフランジ部２ｂ  の背面に当接させ、上記取付パネル２４の取付孔２４ａ  に上記リアケース本体１を前方から嵌挿して圧接すると、上記歯車ボックス２のフランジ部２ｂと取付パネル２４との間を上記環状シール部材２７  でもってシールすることができる。
【００２０】
上記構成において、名板５０の調整孔５２からドライバを入力歯車１７の操作溝１７ａに差し込んで、入力歯車１７を所定角度回動させると、これに噛合するスイッチ歯車１８が回動するために、スイッチ歯車１８に設けた偏心突部１８ｂがスイッチ歯車１８の回動軸ａを中心として偏心距離Ｒの円弧を描くように図５，６で示すように回動する。
その際、前面カバー４の円環状ガイド溝４ｉ，４ｊに文字板３０のガイド突起３３，３４が案内されて、文字板３０の各部が偏心距離Ｒを半径とする円弧を描くように偏心回動する。
【００２１】
したがって、入力歯車１７を所定角度回動させることにより、４個１組の時間表示用数字３２が偏心回動し、目盛板４０の各表示窓４３から時間表示用数字３２のいずれかが露出し（図７）、目盛り４２の数字３２を変更して時間目盛の切り換えを行なう。
【００２２】
また、名板５０における他の調整孔５３，５４からドライバを差し込んで、たとえば時，分，秒などの時間単位の切り換え、時限動作や瞬時動作時限復帰および繰り返し動作などの動作モードの切り換えを行なう。
この状態で、時限設定用つまみ７を所定の時間目盛まで回動させると、摺動子ホルダ１２を介し導電性摺動子１１が摺動抵抗体１３を摺動して、所定の抵抗値に設定される。これによって、限時時間の設定が完了し、電源の投入で、この電子タイマは設定された仕様で動作する。
【００２３】
上記構成によれば、文字板３０は、前面カバー４における環状突起４ｄの内周面に摺動可能に収納されているため、スイッチ歯車１８における偏心突部１８ｂの回動にともなって、これに突設されたガイド突起３３，３４を前面カバー４の円環状ガイド溝４ｉ，４ｊに多少の間隙をもって摺動させても、上記環状突起４ｄの内周面をガイド面として円滑な偏心回動をすることができる。
したがって、上記文字板３０がロック状態となって動作不良を生じたり、ガイド突起３３，３４を破損させるおそれがなく、信頼性の高いタイマを提供することができる。
【００２４】
また、上記１対のガイド突起３３，３４のうち、一方を他方に対して小径に形成すれば、円環状ガイド溝４ｉ，４ｊの溝幅がほぼ同一の場合、一方のガイド突起の摺動で上記文字板３０のがたつきを防止しながら、他方のガイド突起の摺動を円滑にすることができ、上記動作不良や破損の防止に一層寄与することができる。
【００２５】
他方、上記スイッチ歯車１８は回転軸ａに同心状の環状突起１８ａを突設し、上記環状突起１８ａの弾性作用でもって前面カバー４の歯車支持孔４ｆに嵌合させたから、上記歯車支持孔４ｆにがたつきのない状態で支持されて、文字板３０を円滑に偏心回動させることができ、この点からも文字板３０の動作不良や破損の防止に貢献することができる。
また、目盛板４０は、その外周部に形成された複数の係止溝４４に上記前面カバー４の環状突起４ｄの内周面に突設された係止突起４ｋを係止させて固定したから、その装着がきわめて容易である。その場合、上記文字板３０はその外周部に切欠部３７が形成されているから、上記係止突起４ｋとの当接を回避して、上記環状突起４ｄの内周面によるガイド作用を受けることができる。
【００２６】
ところで、上記構成において、歯車ボックス２，リアケース本体１および取付パネル２４からなる３者の嵌合部を１個の環状シール部材２７  でシールしたから、元来、これら３者の嵌合部のシールに２個の環状シール部材を必要とするのに対して、上記環状シール部材の設定数を低減することができ、製造組立作業が容易で、かつ安価となる。
しかも、リアケース本体１は前端開口部１ａ  をほぼ同一の横断面形状に形成することにより、構造が簡単で製造が容易である。しかしながら、この場合、上記リアケース本体１の前端開口部１ａにおける先端外周面にフランジ部を形成して、従来とほぼ同様の組立構造にしてもよいことはいうまでもない。
【００２７】
また、上記歯車ボックス２のフランジ部２ｂに形成された凹所２ｃは、環状シール部材２６でシールされて前面カバー４により閉塞されるとともに、上記つまみ７，前面カバー４および入力歯車１７の各嵌合部に環状シール部材２５，２６，２８を介在してシールしているから、内部に収納された入力歯車１７やスイッチ歯車１８などの歯車機構の腐蝕を有効に保護して、長寿命化を達成することができる。
【００２８】
なお、上記実施例において、文字板３０に円環状ガイド溝４ｉ，４ｊを設け、歯車ボックス２にガイド突起３３，３４を設けてもよく、また、スイッチ歯車１８に回動軸ａから偏心した係合孔３１を設け、文字板３０に係合突起１８ｂを設けてもよい。
【００２９】
【発明の効果】
この発明は以上詳述したように、歯車ボックスにおける環状突起の内周面に文字板を摺動可能に収納したから、上記環状突起の内周面をガイド面として上記文字板の円滑な偏心回動が可能であり、上記文字板の動作不良や破損を有効に防止して、信頼性の高いタイマを提供することができる。
【図面の簡単な説明】
【図１】この発明によるタイマの一例を示す一部切欠した要部の側面図である。
【図２】同要部の分解斜視図である。
【図３】同要部の一部を示す斜視図である。
【図４】同タイマの内部構造を示す要部の正面図である。
【図５】同タイマにおける要部の動作を説明する正面図である。
【図６】同タイマにおける要部の動作を説明する正面図である。
【図７】同タイマの正面図である。
【符号の説明】
２  歯車ボックス
４  前面カバー
４ｄ  環状突起
４ｆ  歯車支持孔
４ｉ  環状ガイド溝
４ｊ  環状ガイド溝
７  つまみ
１０  つまみ軸
１８  スイッチ歯車
１８ａ  環状突起
２５  環状シール部材
３０  文字板
３２  数字
３３  ガイド突起
３４  ガイド突起
４０  目盛板
４２  目盛り
４３  表示窓
ａ  回転軸
【図１】
0003570016.tif 000002
【図２】
0003570016.tif 000003
【図３】
0003570016.tif 000004
【図４】
0003570016.tif 000005
【図５】
0003570016.tif 000006
【図６】
0003570016.tif 000007
【図７】
0003570016.tif 000008